(57)【要約】【課題】  構造物の高所に設置される表示体を手軽に交換できる表示装置を提供する。【解決手段】  本発明の表示装置は、構造物の高所に取付け可能な固定フレームと、垂れ幕、プレート等の表示体を保持可能な保持体と、当該保持体を昇降させる昇降装置を備え、保持体は表示体の少なくとも上部と下部を支持可能であり、昇降装置の操作により固定フレーム内から固定フレームの下枠材の開口部を通過して下枠材の下方まで引き下げ可能であり、当該固定フレームの下方から下枠材の開口部を通過して固定フレーム内まで引き上げ可能なものである。固定フレームの下枠材と保持体の下保持材には、相互に係止可能な係止部を設けてもよい。【選択図】図１
2015106049.tif 000002
【特許請求の範囲】
【請求項１】
構造物の高所に設置される表示装置であって、
前記構造物の高所に取付け可能な固定フレームと、垂れ幕、プレート等の表示体を保持可能な保持体と、当該保持体を昇降させる昇降装置を備え、
前記保持体は表示体の少なくとも上部と下部を支持可能であり、昇降装置の操作により前記固定フレーム内から当該固定フレームの下枠材の開口部を通過して下枠材の下方まで引き下げ可能であり、当該固定フレームの下方から下枠材の開口部を通過して固定フレーム内まで引き上げ可能である、
ことを特徴とする表示装置。
【請求項２】
請求項１記載の表示装置において、
固定フレームの下枠材と保持体の下保持材に、相互に係止可能な係止部を備え、
前記保持体を上昇させると、当該保持体の下保持材が固定フレームの下枠材に係止可能である、
ことを特徴とする表示装置。
【請求項３】
請求項１又は請求項２記載の表示装置において、
昇降装置は、保持体を吊り下げるロープと、当該ロープを巻き取り可能な駆動体を備え、
前記駆動体でロープを巻き上げると保持体が固定フレーム内に引き上げられて、保持体に保持された表示体が固定フレーム内にセットされる、
ことを特徴とする表示装置。
【請求項４】
請求項３記載の表示装置において、
駆動体は逆回転してワイヤを送り出し可能である、
ことを特徴とする表示装置。
【請求項５】
請求項３又は請求項４記載の表示装置において、
ロープが表示体の左右の側面を保持可能な保持体と兼用である、
ことを特徴とする表示装置。
【発明の詳細な説明】
【技術分野】
【０００１】
本発明は突出し看板のような表示装置に関し、例えば、建物やポール（支柱）といった構造物の高所（少なくとも、地上に立った人が手を上にあげても届かない程度に高い箇所）に設置された固定枠内に、店舗名、商品広告、道路案内等が表示された垂れ幕やパネル等の表示体を取り付けて、突出し看板として使用するのに適するものである。
【背景技術】
【０００２】
突出し看板は、通常、ビルやポール等の高所に設置されることが多い。突出し看板の多くは、高所に設置されている固定枠（固定フレーム）内に、垂れ幕やパネル等の表示体がセットされている（取り付けられている）ため、表示体の交換、修理、掃除等の作業を行うためには、固定フレーム内の表示体を地上に引き下ろす必要がある。この場合、道路に脚立を立てるとか、ビルの外壁に梯子を立て掛ける等したり、ビルの窓から身を乗り出したり、ポールに登ったりして作業をしなければならなかった。
【０００３】
しかし、突出し看板は、多くの場合交通量の多い道路側に突出して取り付けられているため、突出し看板の下は空きスペ−スが狭いことが多い。このため、道路に脚立を立てたり、ビルやポールに梯子を立て掛けたりし難かった。場合によっては脚立を立てたり、梯子を立て掛けたりするために、車両の通行を規制しなければならないこともあった。また、ビルの窓から身を乗り出したり、ポールに登ったりして作業を行う場合は落下する危険もあった。
【０００４】
高所に設置する看板として、従来、上下動式看板が提案されている（特許文献１）。
【先行技術文献】
【特許文献】
【０００５】
【特許文献１】特開２００６−６５２２９号公報
【発明の概要】
【発明が解決しようとする課題】
【０００６】
特許文献１の上下動式看板は、門型の本体部を地面に立設するものであるため、建物やポールといった構造物の高所に設置する突出し看板には適さない。
【０００７】
本発明の解決課題は、建物やポール等の高所に設置される固定フレーム内の表示体を地上にいて手軽に引き下ろすことができ、表示体の取付けや取り外し等の作業を地上で行うことができ、脚立や梯子等を使用したり交通規制を行うことなく表示体を交換することができる表示装置を提供することにある。
【課題を解決するための手段】
【０００８】
本発明の表示装置は、構造物の高所に設置される表示装置であって、構造物の高所に取付け可能な固定フレームと、垂れ幕、プレート等の表示体を保持可能な保持体と、当該保持体を昇降させる昇降装置を備え、前記保持体は表示体の少なくとも上部と下部を支持可能であり、昇降装置の操作により前記固定フレーム内から当該固定フレームの下枠材の開口部を通過して下枠材の下方まで引き下げ可能であり、当該固定フレームの下方から下枠材の開口部を通過して固定フレーム内まで引き上げ可能なものである。
【０００９】
前記表示装置の固定フレームの下枠材と保持体の下保持材に、相互に係止可能な係止部を備えたものとすることもできる。この係止部は、保持体を上昇させると、当該保持体の下保持材が固定フレームの下枠材に係止するようにすることができる。
【００１０】
前記表示装置の昇降装置は、保持体を吊り下げるロープ（ワイヤその他の細長紐を含む）と、そのロープを巻取り可能な駆動体（例えばモーター、ウインチ）を備え、駆動体でロープを巻き上げると保持体が固定フレーム内に引き上げられて、保持体に保持された表示体が固定フレーム内にセットされるようにしてある。前記駆動体は逆回転してワイヤを送り出し可能なものであってもよい。
【００１１】
前記表示装置は、前記ロープを、表示体の左右の側面を保持可能な保持体と兼用とすることもできる。
【発明の効果】
【００１２】
本発明の表示装置は、表示体を保持する保持体を、固定フレームの内側から下方に引き出されるまで昇降可能としてあるため、表示体を地上に引き下げて交換、掃除等の作業を行うことができる。また、高所作業を行う必要がないため作業し易く、安全であり、脚立や梯子を使用しないので交通規制を行う必要もない。
【図面の簡単な説明】
【００１３】
【図１】本発明の表示装置の一例を示す正面図。
【図２】本発明の表示装置の他例を示す正面図。
【図３】（ａ）〜（ｃ）は本発明の係止部の動作説明図。
【図４】（ａ）、（ｂ）は係止部の他例を示す動作説明図。
【図５】保持体が固定フレーム内に収まった状態を示す正面図。
【図６】保持体が固定フレームの途中まで引き下げられた状態を示す正面図。
【図７】保持体が固定フレームの下方まで引き下げられた状態を示す正面図。
【発明を実施するための形態】
【００１４】
（実施形態１）
本発明の表示装置１の一例を、図１を参照して説明する。本発明の表示装置１は突出し看板に限られないが、図１に示す表示装置１は突出し看板の場合であり、固定フレーム２内にセットされる表示体３は垂れ幕に限られないが、図１は垂れ幕の場合である。
【００１５】
図１の表示装置１は、構造物Ｘに固定される固定フレーム２と、広告、標識等が表示された垂れ幕（表示体）３をセット可能な保持体４と、保持体４を昇降操作可能な昇降装置５を備えている。昇降装置５は二本のロープ（ワイヤ）６と、ロープ６を巻取り、送出し可能な駆動体７を備えている。
【００１６】
前記固定フレーム２は、上下に間隔をあけて配置された上枠材８と下枠材９と両枠材８、９の側方（図１では左側）に設けられた左枠材１０を備えている。上枠材８と下枠材９の固定端部側（図１では右側）８ａ、９ａは構造物Ｘに固定されており、その固定端部側８ａ、９ａは構造物Ｘに斜めに固定されている支持材１１ａ、１１ｂで支持されている。上枠材８と下枠材９と左枠材１０と構造物Ｘとで囲われた内側を表示部１２としてある。表示部１２は保持体４にセットされた表示体３を配置できる広さにしてある。下枠材９には上下に貫通する開口部１３（図３（ａ）〜（ｃ））が形成されている。この開口部１３の左右両端面１３ａ、１３ｂは裾広がりの斜面に形成され、夫々の端面１３ａ、１３ｂに嵌合凹部（孔を含む）１４（図３（ａ）〜（ｃ））が形成されている。
【００１７】
前記上枠材８の上には回転軸１５と、それを回転させる駆動体７が設置されており、回転軸１５のプーリ１６にロープ６が巻かれている。ロープ６は駆動体７を正回転させて回転軸１５を同方向に回転させるとプーリ１６に巻き取られ、駆動体７を逆回転させて回転軸１５を逆回転させるとプーリ１６から送り出されるようにしてある。ロープ６はプーリ１６に巻き取り可能な細長紐状であり、表示体３を支持（保持）可能な強度であれば、その材質や構造等は問わない。
【００１８】
図１に示す保持体４は左右のロープ６と、その上下に離して配置された上保持材１７と下保持材１８で構成されており、それら上保持材１７に係止具１９で表示体３の上端部を係止して保持することができ、下保持材１８に係止具１９で表示体３の下端部を係止して保持でき、係止具１９で表示体３の左右両端部をロープ６に係止できるようにしてある。
【００１９】
前記下保持材１８は横長棒状であり、左右両端部１８ａ、１８ｂが裾広がりの斜めに形成されており、ロープ６が駆動体７で巻き上げられて上昇すると、下枠材９の開口部１３（図３（ａ）〜（ｃ））内に引き込まれるようにしてある。下保持材１８の横寸法（長さ）、縦寸法（高さ）、肉厚等は当該開口部１３内に収容されるサイズである。下保持材１８の横方向両端面１８ａ、１８ｂにはボールプランジャ２０（図３（ａ）〜（ｃ））が取り付けられている。ボールプランジャ２０は汎用品であり、ケース２１内にスプリング２２が収容され、スプリング２２の外側にボール２３が配置されている。この場合、ケース２１の開口部先端周縁２４をボール２３の直径よりも細く絞ってボール２３がケース２１から落下しないようにしてある。スプリング２２はボール２３を常時外側に押している。このボールプランジャ２０と前記下枠材９の嵌合凹部１４とにより係止部が形成されている。本発明では、ボールプランジャ２０と嵌合凹部１４は逆に設けることもできる。即ち、ボールプランジャ２０を下枠材９に設け、嵌合凹部１４を下保持材１８の横方向両端面１８ａ、１８ｂに設けることもできる。
【００２０】
（実施形態２）
本発明の表示装置１の他例を、図２を参照して説明する。図２に示す表示装置１も突出し看板の場合であり、表示体３が垂れ幕の場合である。図２の表示装置１の基本的構成は図１の表示装置１と同じであり、異なるのは保持体４の構成である。図２の保持体４は上保持材１７と下保持材１８と左右保持材２５、２６により縦長方形の枠状に形成されて、それら上保持材１７と下保持材１８と左右保持材２５、２６で表示体３の四周を保持できるようにしてある。この下保持材１８と下枠材９にもボールプランンジャ２０（図３（ａ）〜（ｃ））と嵌合凹部１４による係止部が設けられている。
【００２１】
実施形態１及び２のいずれの場合も、係止部は下保持材１８を下枠材９に固定することができれば、ボールプランジャ２０と嵌合凹部１４との組合せ以外の構成とすることもできる。例えば、下枠材９の開口部１３の側面に嵌合凹部１４を設け、下保持材１８の横方向両端面１８ａ、１８ｂに突起を設けて、その突起を前記嵌合凹部１４内に押し込むことにより下保持材１８を下枠材９に固定し、突起を前記嵌合凹部１４から抜いて係止を解除できる構成とすることもできる。また、図４（ａ）（ｂ）のように、下保持材１８の長手方向両端に突片２７を設けておき、その突片２７を下枠材９の突出し部２８に宛がって、留め具２９で固定できるようにしてもよい。突片２７と突出し部２８には留め孔２７ａ、２８ａを形成してあり、それら留め孔２７ａ、２８ａに留め具２９を差し込むことによって、下保持材１８を下枠材９に固定できるようにしてある。留め具２９は操作棒（図示しない）で差し込むようにしてもよい。突片２７は上向き開口の樋状とすることもできる。この突片２７（留め孔２７ａを含む）と突出し部２８（留め孔２８ａを含む）が係止部として機能する。前記係止部は一例であり、下保持材１８を下枠材９に係止固定できる限り、これら以外の手段であってもよい。
【００２２】
本発明の表示体３は垂れ幕以外のものであってもよく、例えば、樹脂板に広告や店舗案内等が表示されたものであってもよい。また、看板は突出し看板以外であってもよく、照明式の看板であってもよい。
【００２３】
前記表示体３には看板に一般に用いられる樹脂製の板等を使用することができる。前記駆動体７は遠隔操作（リモコン操作）によってＯＮ−ＯＦＦ操作できるものであってもよい。駆動体７は手動式であってもよい。この場合、作業者の手の届く位置に設置する必要があるため、回転軸１５に滑車（図示しない）などを取り付けて、その滑車を下方に垂れ下げた紐で回転操作して、ロープ６を巻き取ったり、送り出したりすることもできる。表示体３を保持体４に取り付ける治具は、図１に示すような係止具以外であってもよい。
【００２４】
（使用例１）
図１に示す表示装置１の使用例を、図５〜７を参照して説明する。
（１）図５のように、表示体３が固定フレーム２の表示部１２にセットされて、ボールプランジャ２０（図３（ａ）〜（ｃ））と嵌合凹部１４（図３（ａ）〜（ｃ））が係止している状態から表示体３を引き下げるには、縦長棒状のハンドル（図示しない）を保持体４の下保持材１８のフック（図示しない）に係止し、そのハンドルで保持体４を引き下げて、ボールプランジャ２０と嵌合凹部１４の係止を解除する。
（２）前記解除状態で、図５の駆動体７を正回転させて、ロープ６を下方に送り出して（繰り出して）保持体４を図６のように降下させ、保持体４と共にそれに保持されている表示体３を降下させる。
（３）保持体４を図７のように地上近くまで降下させたら、駆動体７の回転を停止させて保持体４及び表示体３の降下を停止させ、保持体４を脚立などの受け台Ｓで支持する。
（４）図７の高さにある保持体４から表示体３を取り外し、新たな表示体３に交換する。
（５）表示体３の交換作業が終わったら、駆動体７を逆回転させてロープ６を巻き上げ、保持体４及びそれに係止された表示体３を上昇させる。
（６）保持体４及びそれに係止された表示体３を上昇させることにより、ボールプランジャ２０（図３（ａ）〜（ｃ））のボール２３は下保持材１８の斜面で強制的に内側に押され、当該斜面がボール２３を通過することにより当該ボール２３がスプリング２２の押し力で外側に押し戻されて、当該斜面の嵌合凹部１４内に嵌入して係止する。
【００２５】
（使用例２）
図２に示す表示装置１も、図５〜６の場合と同様にして、表示体３の交換作業を行うことができる。
【産業上の利用可能性】
【００２６】
本発明の表示装置１は表示体３の交換のみならず、表示体３の清掃をする場合などにも用いることができる。また、本発明の表示装置１は突出し看板用の装置のほか、学校や公共施設、デパートなどで表示される垂れ幕の表示装置などとしても用いることができる。
【符号の説明】
【００２７】
１      表示装置
２      固定フレーム
３      表示体
４      保持体
５      昇降装置
６      ロープ（ワイヤ）
７      駆動体
８      上枠材
８ａ    （上枠材の）固定端部側
９      下枠材
９ａ    （下枠材の）固定端部側
１０    左枠材
１１ａ  支持材
１１ｂ  支持材
１２    表示部
１３    開口部
１３ａ  左端面
１３ｂ  右端面
１４    嵌合凹部
１５    回転軸
１６    プーリ
１７    上保持材
１８    下保持材
１８ａ  （下保持材の）左端部
１８ｂ  （下保持材の）右端部
１９    係止具
２０    ボールプランジャ
２１    ケース
２２    スプリング
２３    ボール
２４    （ケースの）開口部先端周縁
２５    左保持材
２６    右保持材
２７    突片
２７ａ  留め孔
２８    突出し部
２８ａ  留め孔
２９    留め具
Ｓ      受け台
Ｘ      構造物
【図１】
2015106049.tif 000003
【図２】
2015106049.tif 000004
【図３】
2015106049.tif 000005
【図４】
2015106049.tif 000006
【図５】
2015106049.tif 000007
【図６】
2015106049.tif 000008
【図７】
2015106049.tif 000009